(57)【要約】【課題】  イベント会場等での商品販売を効率化することが可能な販売システム等を提供する。【解決手段】  販売システム１は、ゲート装置４と運営会社サーバ５とを備える。ゲート装置４は、商品に付された商品タグ３ａ〜３ｈから商品ＩＤ３５１を読み取るとともに、ユーザが保持するＩＣカード２からユーザＩＤ２５１を読取る読取部（ＩＣカードＲ／Ｗ）４２を備える。ゲート装置４が、読取部４２により読み取った情報（商品ＩＤ３５１及びユーザＩＤ２５１）を運営会社サーバ５に送信すると、運営会社サーバ５は受信した商品ＩＤ３５１及びユーザＩＤ２５１を紐づけて購入情報５２３として記憶部５０２に記憶する。運営会社サーバ５は購入情報５２３に基づいてユーザ毎の決済情報５２４を生成し、レジ端末６または決済サーバ７に送信する。【選択図】図１
2020191042.tif 000002
【特許請求の範囲】
【請求項１】
ゲート装置とサーバとが通信接続された販売システムであって、
前記ゲート装置は、
商品に付された商品タグから商品を識別する情報である商品ＩＤを読み取るとともに、ユーザが保持するＩＣカードからユーザを識別する情報であるユーザＩＤを読取る読取手段と、
前記読取手段により読み取った情報を前記サーバに送信する送信手段と、を備え、
前記サーバは、
前記ゲート装置から送信された商品ＩＤ及びユーザＩＤを受信する受信手段と、
前記受信手段により受信した商品ＩＤとユーザＩＤとを紐づけて購入情報として記憶する記憶手段と、
ユーザ毎の決済情報を生成する決済情報生成手段と、
前記決済情報をレジ端末または決済サーバに送信する決済情報送信手段と、
を備えることを特徴とする販売システム。
【請求項２】
前記レジ端末は、
ＩＣカードからユーザＩＤを読み取るユーザＩＤ読取手段と、
前記ユーザＩＤ読取手段により読み取ったユーザＩＤに該当する決済情報を前記サーバから取得する決済情報取得手段と、
前記決済情報取得手段により取得した決済情報に基づいて決済処理を行う決済処理手段と、
を備えることを特徴とする請求項１に記載の販売システム。
【請求項３】
前記レジ端末は、
前記商品の決済処理が完了すると前記サーバに対し決済完了の情報を送信する決済完了情報送信手段を更に備え、
前記サーバは、前記レジ端末から決済完了の情報を受信すると、前記記憶手段に記憶されている購入情報に決済完了の情報を反映する決済完了処理手段と、
を備えることを特徴とする請求項２に記載の販売システム。
【請求項４】
前記サーバの記憶手段には、前記ユーザＩＤと対応付けてユーザが決済に用いる情報である支払い情報が予め記憶され、
前記サーバの決済情報送信手段は、前記決済情報とともにユーザの支払い情報を前記決済サーバに送信し、
前記決済サーバは、
前記サーバから前記ユーザの決済情報及び支払い情報を受信する決済情報受信手段と、
前記決済情報及び支払い情報に基づいて決済処理を行う決済処理手段と、
を備えることを特徴とする請求項１に記載の販売システム。
【請求項５】
前記決済サーバは、
前記商品の決済処理が完了すると前記サーバに対し決済完了の情報を送信する決済完了情報送信手段を更に備え、
前記サーバは、前記決済サーバから決済完了の情報を受信すると、前記記憶手段に記憶されている購入情報に決済完了の情報を反映する決済完了処理手段と、
を備えることを特徴とする請求項４に記載の販売システム。
【請求項６】
サーバと通信接続されたゲート装置であって、
商品に付された商品タグから商品を識別する情報である商品ＩＤを読み取るとともに、ユーザが保持するＩＣカードからユーザを識別する情報であるユーザＩＤを読取る読取手段と、
前記読取手段により読み取った情報を前記サーバに送信する送信手段と、
を備えることを特徴とするゲート装置。
【請求項７】
ゲート装置と通信接続されたサーバであって、
前記ゲート装置から送信された商品ＩＤ及びユーザＩＤを受信する受信手段と、
前記受信手段により受信した商品ＩＤとユーザＩＤとを紐づけて購入情報として記憶する記憶手段と、
ユーザ毎の決済情報を生成する決済情報生成手段と、
前記決済情報をレジ端末または決済サーバに送信する決済情報送信手段と、
を備えることを特徴とするサーバ。
【請求項８】
ゲート装置とサーバとが通信接続された販売システムにおいて前記サーバとネットワークを介して通信接続されたレジ端末であって、
ユーザＩＤを読取るユーザＩＤ読取手段と、
前記ユーザＩＤ読取手段により読み取ったユーザＩＤに該当する決済情報を前記サーバから取得する決済情報取得手段と、
前記決済情報取得手段により取得した決済情報に基づいて決済処理を行う決済処理手段と、
を備えることを特徴とするレジ端末。
【請求項９】
ゲート装置とサーバとが通信接続された販売システムにおける販売方法であって、
前記ゲート装置が、商品に付された商品タグから商品を識別する情報である商品ＩＤを読み取るとともに、ユーザが保持するＩＣカードからユーザを識別する情報であるユーザＩＤを読取るステップと、
前記ゲート装置が、読み取った情報を前記サーバに送信するステップと、
前記サーバが、前記ゲート装置から送信された商品ＩＤ及びユーザＩＤを受信するステップと、
前記サーバが、受信した商品ＩＤとユーザＩＤとを紐づけて購入情報として記憶するステップと、
ユーザ毎の決済情報を生成する決済情報生成手段と、
前記サーバが、前記決済情報をレジ端末または決済サーバに送信するステップと、
を含むことを特徴とする販売方法。
【発明の詳細な説明】
【技術分野】
【０００１】
本発明は、販売システム、ゲート装置、サーバ、レジ端末、及び販売方法に関し、詳細にはイベント会場等での商品販売を効率化する技術に関する。
【背景技術】
【０００２】
商品の識別情報を記憶したＩＣタグを商品に付し、ＩＣタグから商品の識別情報を読み取って決済に利用する仕組みが提供されている。例えば、特許文献１には、ユーザが所持する携帯端末で店舗に陳列された商品に付されたＩＣタグのタグＩＤを読み取り、読み取ったタグＩＤを決済支援サーバに送信して商品の価格を取得し、携帯端末に決済依頼画面を出力する決済システム等について記載されている。
【０００３】
ところで、スポーツ観戦やコンサート等のイベント会場において、試合やイベントの当日にグッズや写真等の商品を販売するサービスが提供されている。この会場販売という販売形態は、行列が発生したり、売り切れで商品を購入できないこともあるが、購入者の購入意識が強く、会場に集まるファン同士の交流の場ともなるため、会場販売自体がイベントとして親しまれる傾向がある。また、インターネット等を利用した通信販売と異なり、実物を確認してグッズを購入することができるというメリットもある。
【先行技術文献】
【特許文献】
【０００４】
【特許文献１】特開２０１８−０２５８４４号公報
【発明の概要】
【発明が解決しようとする課題】
【０００５】
しかし、現状の会場販売では、商品カタログサイネージや壁や棚等に写真、ポスター、キーホルダー等の商品を表示または陳列し、顧客がこれらの商品を閲覧しながら所定の注文用紙に注文を記入したり、欲しい商品を口頭で窓口のスタッフに伝えたりしている。窓口では、スタッフが注文用紙を確認したり口頭で確認したりしながらバックヤードに配置された商品を揃え、金額計算を行って会計を行う。これらの作業はスタッフによる手作業で行われることが多く、時間がかかるだけでなく、数量や金額のミスが発生しやすい状況であった。そこで、会場販売において効率の良い販売形態が要望されている。
【０００６】
本発明は上記の問題に鑑みてなされたものであり、イベント会場等での商品販売を効率化することが可能な販売システム等を提供することを目的とする。
【課題を解決するための手段】
【０００７】
前述した課題を解決するための第１の発明は、ゲート装置とサーバとが通信接続された販売システムであって、前記ゲート装置は、商品に付された商品タグから商品を識別する情報である商品ＩＤを読み取るとともに、ユーザが保持するＩＣカードからユーザを識別する情報であるユーザＩＤを読取る読取手段と、前記読取手段により読み取った情報を前記サーバに送信する送信手段と、を備え、前記サーバは、前記ゲート装置から送信された商品ＩＤ及びユーザＩＤを受信する受信手段と、前記受信手段により受信した商品ＩＤとユーザＩＤとを紐づけて購入情報として記憶する記憶手段と、ユーザ毎の決済情報を生成する決済情報生成手段と、前記決済情報をレジ端末または決済サーバに送信する決済情報送信手段と、を備えることを特徴とする販売システムである。
【０００８】
第１の発明の販売システムによれば、ゲート装置により商品に付されたＩＣタグから商品ＩＤを読み取るとともにユーザが保持するＩＣカードに記憶されたユーザＩＤを読取り、読み取った商品ＩＤ及びユーザＩＤをサーバに送信する。サーバはゲート装置から送信された商品ＩＤ及びユーザＩＤを受信して購入情報として記憶するとともにユーザＩＤ毎の決済情報を生成し、決済情報をレジ端末または決済サーバに送信する。これにより、ユーザは、陳列された商品の中から欲しい商品を選択し、その商品を持ったままゲート装置を通過すると、その商品の商品ＩＤが読み取られ、ユーザが保持するＩＣカードのユーザＩＤと紐づけられてサーバで購入情報として管理される。購入情報に基づいて決済情報が生成され、決済を行うことが可能となる。従って、ユーザは欲しい商品のメモを取ったり、レジスタッフに口頭で伝えたりする必要がなく、欲しい商品を持ってゲートを通るだけの動作で商品の購入を行えるため、商品の購入が円滑となり効率の良い販売システムを提供できる。
【０００９】
第１の発明において、前記レジ端末は、ＩＣカードからユーザＩＤを読み取るユーザＩＤ読取手段と、前記ユーザＩＤ読取手段により読み取ったユーザＩＤに該当する決済情報を前記サーバから取得する決済情報取得手段と、前記決済情報取得手段により取得した決済情報に基づいて決済処理を行う決済処理手段と、を備えることが望ましい。これにより、商品を持ってゲートを通過したユーザが、レジ端末のユーザＩＤ読取手段にＩＣカードをかざすだけで、サーバからユーザの決済情報がレジ端末に送信される。レジ端末では受信した決済情報に基づいて決済処理を行うことが可能となる。例えば無人のレジ端末で簡単に商品の購入を済ませることができる。
【００１０】
また、前記レジ端末は、前記商品の決済処理が完了すると前記サーバに対し決済完了の情報を送信する決済完了情報送信手段を更に備え、前記サーバは、前記レジ端末から決済完了の情報を受信すると、前記記憶手段に記憶されている購入情報に決済完了の情報を反映する決済完了処理手段と、を備えることが望ましい。これにより、当該販売システムにおいてサーバにより決済の状況を管理できる。
【００１１】
また、第１の発明において、前記サーバの記憶手段には、前記ユーザＩＤと対応付けてユーザが決済に用いる情報である支払い情報が予め記憶され、前記サーバの決済情報送信手段は、前記決済情報とともにユーザの支払い情報を前記決済サーバに送信し、前記決済サーバは、前記サーバから前記ユーザの決済情報及び支払い情報を受信する決済情報受信手段と、前記決済情報及び支払い情報に基づいて決済処理を行う決済処理手段と、を備えることが望ましい。これにより、サーバから決済サーバに対して決済情報とともにユーザの支払い情報が送信されるため、決済サーバでは即時に決済処理を行える。従って、ユーザは、商品を持ってゲートを通過するだけで、決済サーバにおいて決済処理が行われるため、非常に円滑に商品を購入することが可能となる。
【００１２】
また、前記決済サーバは、前記商品の決済処理が完了すると前記サーバに対し決済完了の情報を送信する決済完了情報送信手段を更に備え、前記サーバは、前記決済サーバから決済完了の情報を受信すると、前記記憶手段に記憶されている購入情報に決済完了の情報を反映する決済完了処理手段と、を備えることが望ましい。これにより、当該販売システムにおいてサーバにより決済の状況を管理できる。
【００１３】
第２の発明は、サーバと通信接続されたゲート装置であって、商品に付された商品タグから商品を識別する情報である商品ＩＤを読み取るとともに、ユーザが保持するＩＣカードからユーザを識別する情報であるユーザＩＤを読取る読取手段と、前記読取手段により読み取った情報を前記サーバに送信する送信手段と、を備えることを特徴とするゲート装置である。
【００１４】
第２の発明により、第１の発明の販売システムにおけるゲート装置を提供できる。
【００１５】
第３の発明は、ゲート装置と通信接続されたサーバであって、前記ゲート装置から送信された商品ＩＤ及びユーザＩＤを受信する受信手段と、前記受信手段により受信した商品ＩＤとユーザＩＤとを紐づけて購入情報として記憶する記憶手段と、ユーザ毎の決済情報を生成する決済情報生成手段と、前記決済情報をレジ端末または決済サーバに送信する決済情報送信手段と、を備えることを特徴とするサーバである。
【００１６】
第３の発明により、第１の発明の販売システムにおけるサーバを提供できる。
【００１７】
第４の発明は、ゲート装置とサーバとが通信接続された販売システムにおいて前記サーバとネットワークを介して通信接続されたレジ端末であって、ユーザＩＤを読取るユーザＩＤ読取手段と、前記ユーザＩＤ読取手段により読み取ったユーザＩＤに該当する決済情報を前記サーバから取得する決済情報取得手段と、前記決済情報取得手段により取得した決済情報に基づいて決済処理を行う決済処理手段と、を備えることを特徴とするレジ端末である。
【００１８】
第４の発明により、第１の発明の販売システムにおいて利用可能なレジ端末を提供できる。
【００１９】
第５の発明は、ゲート装置とサーバとが通信接続された販売システムにおける販売方法であって、前記ゲート装置が、商品に付された商品タグから商品を識別する情報である商品ＩＤを読み取るとともに、ユーザが保持するＩＣカードからユーザを識別する情報であるユーザＩＤを読取るステップと、前記ゲート装置が、読み取った情報を前記サーバに送信するステップと、前記サーバが、前記ゲート装置から送信された商品ＩＤ及びユーザＩＤを受信するステップと、前記サーバが、受信した商品ＩＤとユーザＩＤとを紐づけて購入情報として記憶するステップと、ユーザ毎の決済情報を生成する決済情報生成手段と、前記サーバが、前記決済情報をレジ端末または決済サーバに送信するステップと、を含むことを特徴とする販売方法である。
である。
【００２０】
第５の発明の販売方法によれば、ゲート装置は商品に付されたＩＣタグから商品ＩＤを読み取るとともにユーザが保持するＩＣカードに記憶されたユーザＩＤを読取り、読み取った商品ＩＤ及びユーザＩＤをサーバに送信する。サーバはゲート装置から送信された商品ＩＤ及びユーザＩＤを受信して購入情報として記憶するとともにユーザＩＤ毎の決済情報を生成し、決済情報をレジ端末または決済サーバに送信する。これにより、ユーザは、陳列された商品の中から欲しい商品を選択し、その商品を持ったままゲート装置を通過すると、その商品の商品ＩＤが読み取られ、ユーザが保持するＩＣカードのユーザＩＤと紐づけられてサーバで購入情報として管理される。購入情報に基づいて決済情報が生成され、決済を行うことが可能となる。従って、ユーザは欲しい商品のメモを取ったり、レジスタッフに口頭で伝えたりする必要がなく、欲しい商品を持ってゲートを通るだけの動作で商品の購入を行えるため、商品の購入が円滑となり効率の良い販売システムを提供できる。
【発明の効果】
【００２１】
本発明により、イベント会場等での商品販売を効率化することが可能な販売システム等を提供することが可能となる。
【図面の簡単な説明】
【００２２】
【図１】本発明の実施の形態に係る販売システム１の全体構成を示す図
【図２】ＩＣカード２の内部構成を示す図
【図３】ＩＣカード２の非接触ＩＣチップ２１の内部構成を示す図
【図４】ＩＣカード２の記憶部２５に記憶されるデータの例
【図５】商品タグ３の内部構成を示す図
【図６】商品タグ３の非接触ＩＣチップ３１の内部構成を示す図
【図７】商品タグ３の記憶部３５に記憶されるデータの例
【図８】ゲート装置４の制御装置（ゲート制御装置４１）のハードウェア構成の一例を示す図
【図９】運営会社サーバ５のハードウェア構成の一例を示す図
【図１０】運営会社サーバ５の記憶部５０２に記憶されるデータの例。（ａ）ユーザ情報５２１、（ｂ）商品価格情報５２２
【図１１】（ａ）運営会社サーバ５の記憶部５０２に記憶される購入情報５２３の例、（ｂ）運営会社サーバ５により生成される決済情報５２４の例
【図１２】レジ端末６のハードウェア構成の一例を示す図
【図１３】決済サーバ７のハードウェア構成の一例を示す図
【図１４】販売システム１の機能構成を示す図
【図１５】販売システム１を利用したウォークスルー型会場販売におけるユーザの動きを説明する図
【図１６】ユーザがゲート装置４を通過した際における販売システム１の処理の流れを示すフローチャート
【図１７】ユーザ情報５２１に口座情報（支払い情報）が紐づけられている場合の決済処理の流れを示すフローチャート
【図１８】ユーザ情報５２１に口座情報（支払い情報）が紐づけられていない場合の決済処理の流れを示すフローチャート
【発明を実施するための形態】
【００２３】
以下、図面に基づいて本発明の好適な実施形態について詳細に説明する。
【００２４】
図１は本発明の実施の形態に係る販売システム１の全体構成を示す図である。以下の説明では、イベント会場等で開催されるグッズ販売を例に説明する。なお、本発明の販売システム１は、イベント会場におけるグッズ販売に限らず、店舗やショッピングモール等における商品販売においても利用可能である。
【００２５】
図１に示すように、第１の実施の形態の販売システム１は、ユーザの識別情報であるユーザＩＤ２５１が記憶されたＩＣカード２と、各商品にそれぞれ付された商品タグ３ａ、３ｂ、３ｃ、…と、ゲート装置４と、販売システム１の運営会社が管理するサーバである運営会社サーバ５と、会場内に設置されるレジ端末６と、運営会社サーバ５と通信接続された決済サーバ７とを備えて構成される。ゲート装置４、レジ端末６、及び決済サーバ７は、運営会社サーバ５とネットワーク８を介して通信接続される。
【００２６】
ＩＣカード２は、ユーザが販売システム１を利用する際に所持する非接触ＩＣカードであり、例えば、会員証や入館証等として利用されるＩＣカード等である。図２〜図４を参照してＩＣカード２の構成を説明する。
【００２７】
図２に示すように、ＩＣカード２は、内部に非接触ＩＣチップ２１及びアンテナ２７を有する。非接触ＩＣチップ２１は、図３に示すように、ＣＰＵ（Central Processing Unit）２２、ＲＯＭ（Read Only Memory）２３、ＲＡＭ（Random Access Memory）２４、ＥＥＰＲＯＭ（Electrically Erasable Programmable Read Only Memory）２５、及びＩ／Ｆ（Interface）２６等を備えて構成される。
【００２８】
ＣＰＵ２２は、ＲＯＭ２３またはＥＥＰＲＯＭ２５に格納されるプログラムをＲＡＭ２４上のワークメモリ領域に呼び出して実行する。ＲＯＭ２３は、読み出し専用のメモリであり、プログラム、データ等を恒久的に保持する。ＲＡＭ２４は、ロードしたプログラムやデータを一時的に保持するとともに、ＣＰＵ２２が各種処理を行うために使用するワークエリアを備える。
【００２９】
ＥＥＰＲＯＭ２５は、データの書き換えが可能な不揮発性メモリであり、情報を記憶する記憶エリアを有する。
図４は、ＩＣカード２の記憶部２５（ＥＥＰＲＯＭ）に記憶されるデータについて説明する図である。図４に示すように、ＩＣカード２の記憶部２５（ＥＥＰＲＯＭ）には、ユーザＩＤ２５１が記憶される。ユーザＩＤ２５１は、ユーザを識別する情報であり、例えば、販売システム１を利用する際に発行される。ユーザＩＤ２５１は、ファンクラブ等の会員番号や他のユーザＩＤと紐づけられてもよい。
【００３０】
ＩＣカード２のＩ／Ｆ２６は、非接触ＩＣカード用のインターフェースであり、例えばＩＳＯ１８０９２規格に基づくものである。非接触ＩＣチップ２１のＣＰＵ２２は、Ｉ／Ｆ２６及び図２のアンテナ２７を介して、ゲート装置４の読取部（ＩＣカードＲ／Ｗ（Reader/Writer））４２、レジ端末６のユーザＩＤ読取部（ＩＣカードＲ／Ｗ）６１との間で情報を送受信する。アンテナ２７は、基板内を周回してその両端が非接触ＩＣチップ２１に接続される。
【００３１】
次に、図５〜図７を参照して商品タグ３の構成を説明する。
図５に示すように、商品タグ３の内部構成はＩＣカード２の内部構成と同様の構成であり、非接触ＩＣチップ３１及びアンテナ３７を有する。非接触ＩＣチップ３１は、図６に示すように、ＣＰＵ３２、ＲＯＭ３３、ＲＡＭ３４、ＥＥＰＲＯＭ３５、及びＩ／Ｆ３６等を備えて構成される。商品タグ３のＣＰＵ３２、ＲＯＭ３３、ＲＡＭ３４、ＥＥＰＲＯＭ３５、及びＩ／Ｆ３６の構成は、ＩＣカード２のＣＰＵ２２、ＲＯＭ２３、ＲＡＭ２４、ＥＥＰＲＯＭ２５、及びＩ／Ｆ２６と同様の構成であるため、説明を省略する。
【００３２】
図７は、商品タグ３の記憶部３５（ＥＥＰＲＯＭ）に記憶されるデータの例を示す図である。本実施の形態の販売システム１において、商品タグ３の記憶部３５（ＥＥＰＲＯＭ）には、各商品を識別する情報である商品ＩＤ３５１が記憶されている。会場内で販売される全ての商品に商品タグ３が付され、各商品タグ３にはそれぞれ商品を識別する情報である商品ＩＤ３５１が記憶されている。
【００３３】
次に、ゲート装置４の構成について説明する。ゲート装置４は、販売会場に設置されるゲートであり、ゲート本体、ゲート制御装置４１、及び読取部（ＩＣカードＲ／Ｗ）４２を備える。
【００３４】
ゲート制御装置４１は、ゲート本体に設置された読取部（ＩＣカードＲ／Ｗ）４２の動作を制御する装置であり、コンピュータ等により構成される。図８は、ゲート制御装置４１として利用するコンピュータの構成を示す図である。図８に示すように、ゲート制御装置４１は、制御部４１１、記憶部４１２、通信部４１３、及び周辺機器Ｉ／Ｆ部４１６等がバス４１７を介して接続されて構成される。周辺機器Ｉ／Ｆ部４１６には、読取部４２であるＩＣカードＲ／Ｗが接続されている。但し、ゲート制御装置４１の構成は図８の例に限定されず、用途に応じて適宜変更可能である。
【００３５】
制御部４１１は、ＣＰＵ、ＲＯＭ、ＲＡＭ等から構成される。ＣＰＵは、記憶部４１２、ＲＯＭ等の記憶媒体に格納されたプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部４１２、ＲＯＭ等からロードしたプログラムやデータを一時的に保持するとともに、制御部４１１が各種処理を行うために使用するワークエリアを備える。
【００３６】
記憶部４１２は、ハードディスクドライブやソリッドステートドライブ、フラッシュメモリ等であり、後述する処理に際しゲート制御装置４１が実行するプログラム、プログラム実行に必要なデータ、ＯＳ等が格納される。これらのプログラムやデータは、制御部４１１により必要に応じて読み出され実行される。
【００３７】
通信部４１３は、通信制御装置、通信ポート等を有し、ネットワーク８を介した通信を媒介する通信インターフェースである。ゲート制御装置４１はネットワーク８を介して運営会社サーバ５等と通信接続し、各種のデータを送受信可能である。ネットワーク８は、ＬＡＮ（Local Area Network）や、より広域に通信接続されたＷＡＮ（Wide
Area Network）、またはインターネット等の公衆の通信回線等を含む。
周辺機器Ｉ／Ｆ部４１６は、ＩＣカードＲ／Ｗ（読取部）４２等の周辺機器を接続させるためのポートである。
【００３８】
ＩＣカードＲ／Ｗ（読取部）４２は、ＩＣカード２及び商品タグ３との間で非接触通信を行い、ＩＣカード２及び商品タグ３に記憶されているデータを読み出す。なお、ＩＣカードＲ／Ｗ（読取部）４２は、ユーザがゲート装置４を通過する短い時間内に１または複数の商品タグ３やＩＣカード２から情報を読み取る必要がある。そのため、ＩＣカードＲ／Ｗ４２（読取部）はゲート装置４に複数設けられていてもよい。また、ＩＣカード２及び商品タグ３は、ゲート装置４を通過するユーザと読取部（ＩＣカードＲ／Ｗ）４２との距離において非接触通信が可能なものを使用する必要がある。
【００３９】
ゲート制御装置４１の制御部４１１は、読取部（ＩＣカードＲ／Ｗ）４２により読み取った情報（ユーザＩＤ２５１、商品ＩＤ３５１）を運営会社サーバ５に送信する。運営会社サーバ５は、ゲート制御装置４１から受信した情報（ユーザＩＤ２５１、商品ＩＤ３５１）に基づいて購入情報５２３を生成し、記憶部５０２に記憶する（図１１（ａ））。
【００４０】
なお、ＩＣカード２を所持するユーザが複数名同時にゲート装置４を通過してしまうと複数のユーザＩＤ２５１が読取部４２に読み取られてしまうため、ユーザＩＤ２５１と商品ＩＤ３５１とを正確に組み合わせることができない。そのための工夫として、例えば、ゲート装置４に購入者選択入力部を設け、どのユーザが商品を購入するかをユーザまたはスタッフが指定できるようにすることが望ましい。また、ゲート装置４を通過する際は、必ず一人ずつ通過するよう、回転扉方式のゲート装置を採用したり、有料道路のＥＴＣ（Electronic Toll Collection System）で利用されているような踏切ゲート方式のゲート装置を採用するようにしてもよい。
【００４１】
次に、運営会社サーバ５の構成について説明する。運営会社サーバ５は、販売システム１の運営を行う企業等が管理するサーバであり、販売システム１における購入情報５２３や決済情報５２４、ユーザ情報５２１等を管理するコンピュータ等により構成される。
【００４２】
図９は、運営会社サーバ５として利用するコンピュータの構成を示す図である。図９に示すように、運営会社サーバ５は、制御部５０１、記憶部５０２、通信部５０３、入力部５０４、表示部５０５、及び周辺機器Ｉ／Ｆ部５０６等がバス５０７を介して接続されて構成される。但し、運営会社サーバ５の構成は図９の例に限定されず、用途に応じて適宜変更可能である。運営会社サーバ５の制御部５０１、記憶部５０２、通信部５０３、周辺機器Ｉ／Ｆ部５０６の構成は、ゲート制御装置４１の制御部４１１、記憶部４１２、通信部４１３、周辺機器Ｉ／Ｆ部４１６と同様の構成であるための説明を省略する。
【００４３】
入力部５０４は、例えば、キーボードやマウス等のポインティングデバイス、或いはディスプレイと一体的に設けられたタッチパネル等であり制御部５０１に対してデータを入力する。
表示部５０５は、液晶パネル、ＣＲＴモニタ等のディスプレイ装置と、ディスプレイ装置と連携して表示処理を実行するための論理回路（ビデオアダプタ等）で構成され、制御部５０１の制御により入力された表示用データをディスプレイ装置上に表示させる。
【００４４】
販売システム１において運営会社サーバ５の制御部５０１は、ゲート装置４から送信された情報（ユーザＩＤ２５１、商品ＩＤ３５１）に基づいて購入情報５２３を生成し、記憶部５０２に順次記憶する。また、運営会社サーバ５の制御部５０１は、ユーザ毎の決済情報５２４を生成し、レジ端末６または決済サーバ７に送信する。これらの処理の詳細については後述する。
【００４５】
図１０、図１１は、運営会社サーバ５で管理されるデータの例を示す図である。運営会社サーバ５の記憶部５０２には、ユーザ情報５２１、商品価格情報５２２、及び購入情報５２３等が記憶されている。決済情報５２４は購入情報５２３に基づいて生成される情報である。
【００４６】
ユーザ情報５２１は、図１０（ａ）に示すように、ユーザＩＤ、ユーザ登録情報、及び口座情報が対応付けて記憶されている。ユーザＩＤは、各ＩＣカード２に記憶されているユーザＩＤ２５１であり、例えば、販売システム１を利用する際に発行されたユーザ識別情報（ユーザＩＤ）等である。ユーザＩＤ２５１は、ファンクラブの会員番号や他のユーザ識別情報と紐づけられるようにしてもよい。ユーザ登録情報は、ユーザの氏名、性別、生年月日等の情報であり、販売システム１を利用する際にユーザにより登録された情報である。口座情報は、決済処理を行う際に必要な情報（支払い情報）であり、銀行口座の情報、クレジットカード情報、または電子マネーの認証情報等が含まれる。なお、口座情報は必ずしもユーザ情報５２１に登録されていなくてもよい。口座情報がユーザ情報５２１に紐づけて登録されているユーザは、ゲート通過時に商品の決済処理を行うことができる。口座情報がユーザ情報５２１に登録されていないユーザは、ゲート通過後、レジ端末６で決済処理を行う必要がある。
【００４７】
商品価格情報５２２は、図１０（ｂ）に示すように、各商品に関する情報として、少なくとも価格情報が商品ＩＤと対応づけて記憶されている。
【００４８】
購入情報５２３は、ユーザがゲート装置４を通過する際にゲート装置４から運営会社サーバ５に送信された情報（ユーザＩＤ２５１、商品ＩＤ３５１）に基づいて生成される。図１１（ａ）に示すように、購入情報５２３は、「ユーザＩＤ」、「ユーザ情報」、「商品ＩＤ」、「商品単価」、「個数」、及び「決済」のデータ項目を有するレコードが蓄積された情報である。ゲート装置４からユーザＩＤ２５１、商品ＩＤ３５１の情報が送信されると、運営会社サーバ５の制御部５０１は購入情報５２３に新規レコードを追加し、受信したユーザＩ２５１、商品ＩＤ３５１をデータ項目「ユーザＩＤ」、「商品ＩＤ」にそれぞれ入力する。データ項目「個数」は同一の商品の個数であり、ゲート装置４から同じユーザＩＤ２５１について同じ商品ＩＤ３５１が複数送信された場合はその数が入力される。また、データ項目「決済」は、決済が完了するまでは「未」として記憶する。また、運営会社サーバ５の制御部５０１は、ユーザＩＤ２５１に対応するユーザ情報５２１を取得してデータ項目「ユーザ情報」に入力する。また、運営会社サーバ５の制御部５０１は、商品ＩＤ３５１に対応する商品価格を商品価格情報５２２から取得してデータ項目「商品単価」に入力して、購入情報５２３を生成する。
【００４９】
具体的には、図１１（ａ）の例では、購入情報５２３の１レコード目には、ユーザＩＤ「０００１」に対してユーザ情報「Ｋ．Ｙａｍａｄａ」、商品ＩＤ「ａ」、商品単価「１００」、個数「１」、及び決済「未」が記憶されている。また２レコード目には、ユーザＩＤ「０００２」に対してユーザ情報「Ｓ．Ｍｏｒｉｔａ」、商品ＩＤ「ａ」、商品単価「１００」、個数「１」、及び決済「未」が記憶されている。また３レコード目には、ユーザＩＤ「０００２」に対してユーザ情報「Ｓ．Ｍｏｒｉｔａ」、商品ＩＤ「ｂ」、商品単価「２００」、個数「１」、及び決済「未」が記憶されている。また４レコード目には、ユーザＩＤ「０００１」に対してユーザ情報「Ｋ．Ｙａｍａｄａ」、商品ＩＤ「ｃ」、商品単価「３００」、個数「２」、及び決済「未」が記憶されている。このように、ゲート装置４からユーザＩＤ２５１及び商品ＩＤ３５１が送信される都度、運営会社サーバ５は、受信した情報を購入情報５２３として順次記憶していく。
【００５０】
決済情報５２４は、未決済の購入情報５２３をユーザＩＤ２５１毎にまとめた情報であり、図１１（ｂ）に示すように、「ユーザＩＤ」、「ユーザ情報」、「商品ＩＤ」、「商品単価」、「個数」のデータ項目を有するデータである。運営会社サーバ５は、レジ端末６からユーザＩＤ２５１とともに決済情報取得要求を受信すると、該当するユーザＩＤ２５１の決済情報５２４を生成して要求元のレジ端末６に返す。レジ端末６では、受信した決済情報５２４に基づいて合計金額を算出し、決済処理を行う。決済処理が完了すると、レジ端末６は決済完了情報及びユーザＩＤ２５１を運営会社サーバ５に送信し、運営会社サーバ５は購入情報５２３の「決済」項目を「済」に更新記憶する。
【００５１】
また、ユーザ情報５２１に口座情報が紐づけて登録されているユーザについては、運営会社サーバ５は、決済情報５２４とともに口座情報を決済サーバ７に送信し、決済サーバ７において決済処理を行う。決済処理が完了すると、決済サーバ７は決済完了情報及びユーザＩＤ２５１を運営会社サーバ５に送信し、運営会社サーバ５は購入情報５２３の「決済」項目を「済」に更新記憶する。
【００５２】
次に、レジ端末６の構成について図１２を参照して説明する。
レジ端末６は、ユーザが商品の会計（決済）を行う際に利用される端末であり、会場内に１または複数台設置される。レジ端末６は、例えば、図１２に示すように、制御部６０１、記憶部６０２、通信部６０３、入力部６０４、表示部６０５、周辺機器Ｉ／Ｆ部６０６、つり銭処理部６０７、レシートプリンタ６０８等がバス６１０を介して接続されて構成される。周辺機器Ｉ／Ｆ部６０６には、ユーザＩＤ読取部６１であるＩＣカードＲ／Ｗが接続される。但し、レジ端末６の構成は用途に応じて適宜変更可能である。制御部６０１、記憶部６０２、通信部６０３、周辺機器Ｉ／Ｆ部６０６の構成は、ゲート制御装置４１の制御部４１１、記憶部４１２、通信部４１３、周辺機器Ｉ／Ｆ部４１６と同様の構成であるための説明を省略する。
【００５３】
つり銭処理部６０７は、商品の代金及び入金額に基づいてつり銭額を算出し、出金する装置である。
入力部６０４は、テンキーやキーボード等の入力装置を備え、制御部６０１に対してデータを入力する。
表示部６０５は、店員が利用する主ディスプレイと、顧客側に表示画面を有するカスタマディスプレイとを有し、制御部６０１の制御により入力された表示用データを各ディスプレイ装置上に表示させる。
レシートプリンタ６０８は、販売した商品の商品名や価格、預り金やおつりの金額等を所定のレシート用紙に印刷するプリンタである。
ＩＣカードＲ／Ｗ６１は、購入者が所持するＩＣカード２に記憶されているユーザＩＤ２５１を読み取るユーザＩＤ読取部６１である。ＩＣカードＲ／Ｗ６１はＩＣカード２から読み取ったユーザＩＤ２５１を制御部６０１へ入力する。
【００５４】
レジ端末６の制御部６０１は、ＩＣカード２から読み取ったユーザＩＤ２５１に該当する決済情報５２４を運営会社サーバ５から取得し、決済情報５２４に基づいて商品の合計金額を算出し、表示部６０５に表示する。また、現金、クレジットカード、または電子マネー等による決済処理を行う。決済処理が完了すると、レジ端末６は決済完了情報及びユーザＩＤ２５１を運営会社サーバ５に送信する。運営会社サーバ５は該当するユーザの購入情報５２３の「決済」項目を「済」に更新記憶する。また、レジ端末６において、購入情報５２３の修正を行えるようにしてもよい。すなわち、商品の個数の変更や削除、追加等を行えるようにすることが望ましい。
【００５５】
次に、決済サーバ７の構成について説明する。
決済サーバ７は、決済情報５２４の決済処理を行う決済機関等のサーバであり、ネットワーク８を介して運営会社サーバ５と通信接続されている。決済サーバ７は、例えば、図１３に示すように、制御部７０１、記憶部７０２、通信部７０３、入力部７０４、表示部７０５、周辺機器Ｉ／Ｆ部７０６等がバス７０７を介して接続されて構成される。但し、決済サーバ７の構成は用途に応じて適宜変更可能である。決済サーバ７の制御部７０１、記憶部７０２、通信部７０３、周辺機器Ｉ／Ｆ部７０６の構成は、ゲート制御装置４１の制御部４１１、記憶部４１２、通信部４１３、周辺機器Ｉ／Ｆ部４１６と同様の構成であり、決済サーバ７の入力部７０４、表示部７０５の構成は、運営会社サーバ５の入力部５０４、表示部５０５と同様の構成であるための説明を省略する。
【００５６】
決済サーバ７の制御部７０１は、運営会社サーバ５から送信された決済情報５２４及びユーザ情報５２１（口座情報を含む）に基づいて、商品の決済処理を行う。決済処理が完了すると、決済サーバ７は決済完了情報及びユーザＩＤ２５１を運営会社サーバ５に送信する。運営会社サーバ５は該当するユーザの購入情報５２３の「決済」項目を「済」に更新記憶する。
【００５７】
次に、図１４を参照して、本実施の形態の販売システム１の機能構成について説明する。
図１４に示すように、販売システム１において、ゲート装置４は、読取部４２及び読取り情報送信部４３等を有する。ＩＣカード２は、ユーザＩＤ２５１を記憶する記憶部２５を備える。記憶部２５は、図３のＥＥＰＲＯＭ２５に該当する。商品タグ３は、商品ＩＤ３５１を記憶する記憶部３５を備える。記憶部３５は、図６のＥＥＰＲＯＭ３５に該当する。
【００５８】
運営会社サーバ５は、通信部５１、記憶部５０２、決済情報生成部５３、決済情報送信部５４、及び決済完了処理部５５等を備える。記憶部５０２にはユーザ情報５２１、商品価格情報５２２、購入情報５２３等が記憶される。レジ端末６はユーザＩＤ読取部６１、決済情報取得部６２、決済処理部６３、及び決済完了情報送信部６４等を備える。決済サーバ７は、決済情報受信部７１、決済処理部７２、及び決済完了情報送信部７３等を備える。
【００５９】
ゲート装置４の読取部４２は、ＩＣカード２及び商品タグ３と非接触通信を行うＩＣカードＲ／Ｗであり、ゲート装置４を通過したユーザが保持するＩＣカード２からユーザＩＤ２５１を読み取るとともに、ユーザが保持している購入商品に付されている商品タグ３から商品ＩＤ３５１を読み取る。
【００６０】
読取り情報送信部４３は、読み取ったユーザＩＤ２５１及び商品ＩＤ３５１の情報を運営会社サーバ５に送信する。
【００６１】
運営会社サーバ５の通信部５１は、ゲート装置４、レジ端末６、及び決済サーバ７との間で購入情報５２３や決済情報５２４等のデータを送受信する。
運営会社サーバ５の記憶部５０２は、ユーザ情報５２１、商品価格情報５２２、及び購入情報５２３を記憶する（図１０、図１１）。
【００６２】
決済情報生成部５３は、購入情報５２３からユーザＩＤ２５１をキーに情報を抽出し、ユーザ毎の決済情報５２４を生成する。
決済情報送信部５４は、決済情報生成部５３により生成された決済情報５２４をレジ端末６や決済サーバ７に送信する。
決済完了処理部５５は、レジ端末６または決済サーバ７から送信された決済完了情報を受信すると、購入情報５２３に決済完了の情報を反映する処理を行う。
【００６３】
レジ端末６のユーザＩＤ読取部６１は、ＩＣカード２に記憶されているユーザＩＤ２５１を読み取る。ユーザＩＤ読取部６１は、図１及び図１２のＩＣカードＲ／Ｗ６１に該当する。
決済情報取得部６２は、ユーザＩＤ読取部６１により読み取ったユーザＩＤ２５１に対応する決済情報５２４を運営会社サーバ５に要求し、取得する。
【００６４】
決済処理部６３は、決済情報取得部６２が取得した決済情報５２４に基づいて決済情報５２４に含まれる商品の合計金額を算出し、決済処理を行う。
決済完了情報送信部６４は、決済処理部６３において商品の決済処理が完了すると、運営会社サーバ５に対して決済完了情報を送信し、記憶部５０２に記憶されている購入情報５２３に決済完了の情報を反映させる。
【００６５】
なお、レジ端末６は決済情報取得部６２により取得した決済情報５２４に含まれる商品について個数の変更や商品の削除、追加等の修正を行う修正部（不図示）を備えてもよい。その場合、決済処理部６３は、修正部により修正された決済情報に基づいて商品の決済処理を行う。
【００６６】
決済サーバ７の決済情報受信部７１は、運営会社サーバ５から送信される決済情報５２４を受信する。
決済処理部７２は決済情報受信部７１が受信した決済情報５２４に基づいて決済情報５２４に含まれる商品の合計金額を算出し、決済処理を行う。
決済完了情報送信部７３は、決済処理部７２において商品の決済処理が完了すると、運営会社サーバ５に決済完了情報を送信し、記憶部５０２に記憶されている購入情報５２３に決済完了の情報を反映させる。
【００６７】
次に、本実施の形態の販売システム１において実行される処理の流れを説明する。
まず、販売システム１を利用するユーザの動きについて図１５を参照して説明する。
ユーザは、ＩＣカード２を持ってグッズ販売会場へ行く。ＩＣカード２は例えば事前にＷｅｂサイト等からユーザ登録手続きをすることで発行されるＩＣカードであり、ユーザＩＤ２５１が記憶されている。ＩＣカード２は、ファンクラブの会員証等を用いてもよい。その場合はファンクラブの会員番号がユーザＩＤ２５１に紐づけて販売システム１に登録される。
【００６８】
グッズ販売会場内には複数の商品が陳列されている。全ての商品にはそれぞれ商品タグ３ａ、３ｂ、３ｃ、…が付されている。各商品タグ３ａ、３ｂ、３ｃ、…には商品を識別する情報である商品ＩＤ３５１が記憶されている。ユーザは欲しい商品を選び、商品を持ってゲート装置４を通過する。
【００６９】
ゲート装置４は、ユーザが通過する際に、商品に付されている商品タグ３から商品ＩＤ３５１を読み取るとともに、ＩＣカード２からユーザＩＤ２５１を読み取る。事前にユーザの口座情報（支払い情報）を登録している場合は、その口座情報を用いて決済処理が直ちになされ、商品購入が完了する。なお、事前に口座情報（支払い情報）を登録していない場合は、ユーザはゲート装置４を通過した後、レジ端末６へ行き商品の決済処理を行う。
【００７０】
次に、図１６のフローチャートを参照して、ゲート通過時において各装置が実行する処理について説明する。ユーザはＩＣカード２及び購入したい商品を持っているものとする。
【００７１】
ユーザが購入したい商品を持ってゲート装置４を通過すると（ステップＳ１０１）、ゲート装置４の読取部（ＩＣカードＲ／Ｗ）４２は、ユーザが所持するＩＣカード２及び商品に付されている商品タグ３と非接触通信を開始する。ＩＣカード２は読取部（ＩＣカードＲ／Ｗ）４１に対して記憶部２５に記憶されているユーザＩＤ２５１を送信する（ステップＳ１０２）。ゲート制御装置４１の制御部４１１は、ＩＣカード２からユーザＩＤ２５１を取得する（ステップＳ１０３）。また、商品タグ３は読取部（ＩＣカードＲ／Ｗ）４２に対して記憶部３５に記憶されている商品ＩＤ３５１を送信する（ステップＳ１０４）。ゲート制御装置４１の制御部４１１は、商品タグ３から商品ＩＤ３５１を取得する（ステップＳ１０５）。なお、ユーザが複数の商品を持っている場合は、ステップＳ１０５において制御部４１１は、読み取った商品ＩＤ３５１に基づいて同じ商品の有無を判定し、同じ商品が含まれている場合はその個数を取得する。
【００７２】
ゲート装置４の制御部４１１（読取り情報送信部４３）は、運営会社サーバ５に対してステップＳ１０３及びステップＳ１０５で読取った情報（ユーザＩＤ２５１、商品ＩＤ３５１、各商品ＩＤ３５１の個数）を送信する（ステップＳ１０６）。
【００７３】
運営会社サーバ５は、ゲート装置４からユーザＩＤ２５１、商品ＩＤ３５１、及び個数の情報を受信すると、受信した情報を購入情報５２３として記憶部５０２に記憶する（ステップＳ１０７）。ステップＳ１０７において、運営会社サーバ５の制御部５０１は、ユーザＩＤ２５１に紐づけられているユーザ情報５２１を記憶部５０２から取得して購入情報５２３の「ユーザ情報」項目に入力するとともに、商品ＩＤ３５１に紐づけられている商品価格情報５２２を取得して購入情報５２３の「商品単価」項目に入力して記憶する（図１１（ａ））。この段階では購入情報５２３の「決済」項目は、「未」として記録される。
【００７４】
運営会社サーバ５の制御部５０１は、ユーザＩＤ２５１に紐づけられているユーザ情報５２１を参照して、口座情報（支払い情報）が紐づけられているか否かを判定する（ステップＳ１０８）。ユーザ情報５２１に口座情報が紐づけられている場合（ステップＳ１０８；Ｙｅｓ）は、「１」の処理（図１７）へ移行し、ユーザ情報５２１に口座情報が紐づけられていない場合（ステップＳ１０８；Ｎｏ）は、「２」の処理（図１８）へ移行する。
【００７５】
ステップＳ１０８において、ユーザ情報５２１に口座情報（支払い情報）が紐づけられていると判定した場合、運営会社サーバ５の制御部５０１（決済情報生成部５３）は、ユーザＩＤ２５１に該当する決済情報５２４を生成する（図１７のステップＳ２０１）。ステップＳ２０１において、運営会社サーバ５の制御部５０１は、記憶部５０２の購入情報５２３からユーザＩＤ２５１に該当するレコードであって「決済」項目が「未」のものを抽出し、決済情報５２４を生成する（図１１（ｂ））。そして、運営会社サーバ５の制御部５０１（決済情報送信部５４）は、決済サーバ７に対して決済情報５２４とユーザの口座情報（支払い情報）を送信する（ステップＳ２０２）。
【００７６】
決済サーバ７（決済情報受信部７１、決済処理部７２）は、決済情報５２４及びユーザの口座情報（支払い情報）を受信すると（ステップＳ２０３）、決済処理を行う（ステップＳ２０４）。決済処理が完了すると、決済サーバ７（決済完了情報送信部７３）は、決済完了情報及びユーザＩＤ２５１を運営会社サーバ５に送信する（ステップＳ２０５）。運営会社サーバ５の制御部５０１（決済完了処理部５５）は、決済完了情報を受信すると、該当するユーザの購入情報５２３に反映する（ステップＳ２０６）。すなわち、運営会社サーバ５の制御部５０１は、決済が完了した商品について記憶部５０２に記憶されている購入情報５２３の「決済」項目を「未」から「済」にする。或いは、決済が完了した商品のレコードを購入情報５２３から削除する。
【００７７】
一方、図１６のステップＳ１０８において、ユーザ情報５２１に口座情報が紐づけられていないと判定した場合、ユーザは、購入する商品を持ってレジ端末６へ行き決済処理を行う。図１８を参照してレジ端末６での決済処理について説明する。
【００７８】
ユーザ（購入者）がレジ端末６のユーザＩＤ読取部（ＩＣカードＲ／Ｗ）６１に対してＩＣカード２をかざす（ステップＳ３０１）。すると、ＩＣカード２に記憶されているユーザＩＤ２５１がＩＣカード２からレジ端末６に送信される（ステップＳ３０２）。レジ端末６はユーザＩＤ２５１を取得する（ステップＳ３０３）。
【００７９】
レジ端末６の制御部６０１（決済情報取得部６２）は、ＩＣカード２から読み取ったユーザＩＤ２５１とともに決済情報取得要求を運営会社サーバ５に送信する（ステップＳ３０４）。レジ端末６から決済情報取得要求及びユーザＩＤ２５１を受信すると、運営会社サーバ５の制御部５０１（決済情報生成部５３）は、受信したユーザＩＤ２５１に該当する購入情報５２３を記憶部５０２から取得し、決済情報５２４を生成する（ステップＳ３０５）。そして、運営会社サーバ５の制御部５０１（決済情報送信部５４）は、要求元のレジ端末６に決済情報５２４を送信する（ステップＳ３０６）。レジ端末６の制御部６０１（決済情報取得部６２）は決済情報５２４を受信すると（ステップＳ３０７）、受信した決済情報５２４に基づいて決済処理を行う（ステップＳ３０８）。ステップＳ３０８において、レジ端末６の制御部６０１（決済処理部６３）は決済情報５２４に基づいて商品の合計金額を算出し、表示部６０５に表示して、購入者に知らせる。レジ端末６では、現金、クレジットカード、または電子マネー等による決済処理を行う。決済処理では、レシートプリンタ６０８から商品名、個数、価格、合計金額、つり銭額等が印刷されたレシートが出力される。
【００８０】
決済処理が終了すると、レジ端末６の制御部６０１（決済完了情報送信部６４）は、決済完了情報を運営会社サーバ５に送る（ステップＳ３０９）。運営会社サーバ５の制御部５０１（決済完了処理部５５）は、決済が完了した商品について記憶部５０２に記憶されている購入情報５２３の「決済」項目を「未」から「済」にする。或いは、決済が完了した商品のレコードを購入情報５２３から削除する（ステップＳ３１０）。購入者はレジ端末６から出力されたレシートを受取る。
【００８１】
以上説明したように、本実施の形態の販売システム１では、各商品に商品タグ３を付しておき、ＩＣカード２を持ったユーザが、購入したい商品を選んでその商品を持ってゲート装置４を通過すると、ゲート装置４では、商品タグ３から商品ＩＤ３５１を読み取るとともにＩＣカード２からユーザＩＤ２５１を読み取って、運営会社サーバ５に送信し、購入情報５２３として管理する。購入情報５２３に基づいてユーザ毎の決済情報５２４が生成され、決済サーバ７やレジ端末６において、決済処理を行うことができる。このように、購入者が購入したい商品を持ってゲート装置４を通過するだけでユーザＩＤ２５１と商品ＩＤ３５１とが紐づけられて運営会社サーバ５で管理されるため、商品の清算を円滑に行うことが可能となる。特に、決済に必要な支払い情報（口座情報）が予め登録されている場合は、即時に決済処理が行われ商品の購入が完了するため、非常に円滑に商品の購入が完了する。
【００８２】
また、事前に決済に必要な支払い情報（口座情報）が登録されていない場合にはレジ端末６で決済処理を行うが、その場合でも、レジ端末６では、ＩＣカード２からユーザＩＤ２５１を読取るだけで、運営会社サーバ５から該当するユーザの決済情報５２４を取得できるため、無人のレジ端末６でも簡単に商品の清算を行うことができる。
【００８３】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８４】
１・・・・・・・・・・販売システム
２・・・・・・・・・・ＩＣカード
５・・・・・・・・・・運営会社サーバ
６・・・・・・・・・・レジ端末
７・・・・・・・・・・決済サーバ
８・・・・・・・・・・ネットワーク
２１、３１・・・・・・非接触ＩＣチップ
２５、３５・・・・・・記憶部（ＥＥＰＲＯＭ）
４２・・・・・・・・・読取部（ＩＣカードＲ／Ｗ）
４３・・・・・・・・・読取り情報送信部
５１・・・・・・・・・通信部
５３・・・・・・・・・決済情報生成部
５４・・・・・・・・・決済情報送信部
５５・・・・・・・・・決済完了処理部
６１・・・・・・・・・ユーザＩＤ読取部（ＩＣカードＲ／Ｗ）
６２・・・・・・・・・決済情報取得部
６３・・・・・・・・・決済処理部
７１・・・・・・・・・決済情報取得部
７２・・・・・・・・・決済処理部
７３・・・・・・・・・決済完了情報送信部
２５１・・・・・・・・ユーザＩＤ
３５１・・・・・・・・商品ＩＤ
５２１・・・・・・・・ユーザ情報
５２２・・・・・・・・商品価格情報
５２３・・・・・・・・購入情報
５２４・・・・・・・・決済情報
【図１】
2020191042.tif 000003
【図２】
2020191042.tif 000004
【図３】
2020191042.tif 000005
【図４】
2020191042.tif 000006
【図５】
2020191042.tif 000007
【図６】
2020191042.tif 000008
【図７】
2020191042.tif 000009
【図８】
2020191042.tif 000010
【図９】
2020191042.tif 000011
【図１０】
2020191042.tif 000012
【図１１】
2020191042.tif 000013
【図１２】
2020191042.tif 000014
【図１３】
2020191042.tif 000015
【図１４】
2020191042.tif 000016
【図１５】
2020191042.tif 000017
【図１６】
2020191042.tif 000018
【図１７】
2020191042.tif 000019
【図１８】
2020191042.tif 000020